(57)【要約】      （修正有）【課題】床スラブと床下構造体と床板体とを振動絶縁係合し、しかも高さの低い組み立て簡易な軽量堅牢な床下構造体にすることにより、制振性能、遮音性能及び歩行性能を高くし、しかも新築建造物では、床スラブを薄くしてコストを大幅に低減可能にし、リフォーム建造物では、既成の床スラブを活かし且つ必須の床上居住空間を確保できる画期的な浮遊二重床構造体を提供する。【解決手段】床スラブ１０１上に大引ビーム１０２を適当間隔おきに並列配置し、この大引ビームの上に床板体を敷設した床構造体であって、前記大引ビームは、その底部を横断面が上向きのコ字型の弾性制振座１０５−１、１０５−２の座面内に嵌めて装着し、前記弾性制振座と床スラブとの間にレベル調整用弾性ゴム座１０６〜１０９を装着してなることを特徴とする浮遊二重床構造体。【選択図】図１
0003232587.tif 000002
【実用新案登録請求の範囲】
【請求項１】
床スラブ上に大引ビームを適当間隔おきに並列配置し、この大引ビームの上に床板体を敷設した床構造体であって、前記大引ビームは、その底部を横断面が上向きのコ字型の弾性制振座の座面内に嵌めて装着し、前記弾性制振座と床スラブとの間にレベル調整用弾性ゴム座を装着してなることを特徴とする浮遊二重床構造体。
【考案の詳細な説明】
【技術分野】
【０００１】  本考案は、コンクリート躯体の床スラブ（コンクリートスラブ）と床下構造体と床板体を振動絶縁接合し、しかも床下構造体の高さをコンパクトに低くすることを可能にして、制振性能、遮音性能及び歩行性能を高めた画期的な浮遊二重床構造体に関するものである。
【背景技術】
【０００２】  従来、床構造体は、例えば正梁構造のコンクリート躯体を備えた建物では、その床スラブ上に複数の束を立てると共に躯体縁には、大引をアンカー止めし、さらにその大引上に根太をアンカー止めし、根太の上に床板体を敷設するなど一体的に結合した構造となっているため、床板体に加わる振動が、根太と大引と束から床スラブを介して増大し、他の居住空間特に階下の居住空間に大きな振動・騒音となって伝わる。このため床構造体には前記の振動・騒音に対する制振・遮音対策が必要となっている。【０００３】  このような背景において、床板体から床下構造体を介して他の居住空間に伝わる振動・騒音を低減するため、従来から種々の改良を加えた制振・遮音床下構造の開発が進められてきた。【０００４】  その開発内容は、次の特許文献１〜特許文献７に記載の例のように、床スラブと前記床板体との間において、床下構造体の内部、前記床下構造体と床板体との間等に、適宜に空間部、空気流通隙間、弾性緩衝板（材）等を配置する等多義に亘っている。
しかし、これらの単なる採用によって、制振性能、遮音性能及び歩行性能を高めようとすると、床スラブから床板体までの高さが大幅に高くなり重量も増大する結果、床スラブも設計上スケールアップするなどの増強体としなければならない。【０００５】  一方、床上空間はこの床構造体に左右されずに居住のための必要な所要高さの空間を確保しなければならない制約を伴う。これらのことから床スラブ及び床構造体コストの低減が極めて困難なものとなっている。
さらに、建造物の長寿命化推進や環境対策の観点から、建築物の改造規制や建築物における床スラブコンクリートのはつり作業及びはつり屑処分等が厳しく規制されている現状では、前記従来床構造から遮音床構造へのリフォームは、既成の床スラブを活かし且つ必須の床上居住空間を確保することを考慮すると極めて困難なものとなっている。
【先行技術文献】
【特許文献】
【０００６】
【特許文献１】特許第４２１９６５３号公報「束石の上に床材を敷設する建物の床改修工法」概要：床スラブ上に束石−木製の大引材−根太材−捨貼り材−フローリング材を順次敷設した床構造体の床改修工法で、束石、大引材、根太材を再利用し、束石上に高調整具と緩衝材を配置し、根太材の上に捨貼り材、フローリング材を敷設した床改修工法。
【特許文献２】特許第２６４６４６９号公報「ＲＣ構造のマンション等の集合住宅、体育館、事務所ビル、教室等の床構造」概要：コンクリートスラブ等の床基盤と床組材との間に加水分解緩衝材を設け、床組材上に通気手段を備えた捨張材及び仕上材と巾木を設けて床下と室内の空気流通を図った床構造。
【特許文献３】第２７１９５５０号公報「コンクリート建築物の床構造」概要：コンクリートスラブ上にプラスチックス発泡体を接合し、その上に下面空隙式床下地材と通気性材料と床仕上材を順次張設したコンクリート建築物の床構造。
【特許文献４】特開２００１−２６３４２０号公報「防振脚体および防振ユニット脚体」概要：防振脚体８は、弾性台座と、少なくとも上部側に支持体の螺着用ねじ部が形成された金属製の棒状脚体とから構成し、弾性台座に、棒状脚体の下端部を回転可能に上方から嵌入する凹部を形成する一方、棒状脚体に、脚体下端部の嵌入状態で弾性台座の上面に着座するフランジ体を連設し、このフランジ体又はフランジ体上部の棒状脚体部分と棒状脚体の上端とに、棒状脚体を回転操作するための工具の係止部を形成した防振脚体および防振ユニット脚体。
【特許文献５】特開２００１−８１８９１号公報「床スラブ上の遮音床構造」概要：各階を仕切り逆梁を一体に突設した水平躯体部分と、鉛直躯体部分と、この逆梁上に、大引と根太よりなる床枠を架設し、この床枠上に床板を敷設し、この床板上に床上空間を、又床板下に床下空間をそれぞれ形成してなる建物において、大引を弾性緩衝体を介して嵌着する金物を一対の立設ガイド片で支持し、前記大引の端縁と前記鉛直躯体部分との間に間隙を形成した遮音床構造。
【特許文献６】特開２０００−１１０３３１号公報「床材の施工方法」概要：床下地の上に複数の床材を接着敷設する床材の施工方法において、厚み０．４〜１．０ｍｍの合成樹脂発泡体両面粘着テープを床下地に１００〜３５０ｍｍ間隔で貼り、床材と床材の接合部に位置する床下地に接着剤を上記両面粘着テープより厚く塗布し、その上に床材を敷設する床材の施工方法。
【特許文献７】特開平８−４１８５号公報「建築物の床構造」概要：水平躯体上に突設の逆梁間に大引を架設し、大引上に根太を介して床材を支持する。大引の端部及び床材の端部と逆大梁との間に間隙を形成し、大引は弾性変形可能なΣ形鋼にして遮音性を向上させた建築物の床構造。
【考案の概要】
【考案が解決しようとする課題】
【０００７】  本考案は、床スラブと床下構造体と床板体とを振動絶縁係合し、しかも高さの低い組み立て簡易な軽量堅牢な床下構造体にすることにより、制振性能、遮音性能及び歩行性能を高くし、しかも新築建造物では、床スラブを薄くしてコストを大幅に低減可能にし、リフォーム建造物では、既成の床スラブを活かし且つ必須の床上居住空間を確保できる画期的な浮遊二重床構造体を提供するものである。
【課題を解決するための手段】
【０００８】  本考案は、前記課題を解決する技術的手段として次の（１）を特徴とするものである。
（１）、床スラブ上に大引ビームを適当間隔おきに並列配置し、この大引ビームの上に床板体を敷設した床構造体であって、前記大引ビームは、その底部を横断面が上向きのコ字型の弾性制振座の座面内に嵌めて装着し、前記弾性制振座と床スラブとの間にレベル調整用弾性ゴム座を装着してなることを特徴とする浮遊二重床構造体。
【考案の効果】
【０００９】  本考案は、前記構成により、躯体床と居住床を分離しかつ床スラブ上から１３５ｍｍの低床化を達成した「浮遊二重床構造体」を生み出して、過去に類を見ない遮音性・耐震性且つ歩行性を高め、材料コストから施工コストに至るまで徹底的にコストダウンを実現して、国土交通省が進めるＳ１住宅等のリノベーションにもっとも適応した画期的な床構造である。【００１０】＜本考案の具体的な作用効果＞
１．  建設工事費の大幅な削減
○躯体工事費の削減：１３５ｍｍの低床化による軽量化は、柱・梁・基礎なども削減され躯体コストは均質単版スラブ厚１５０ｍｍ・１８０ｍｍ・２００ｍｍやボイドスラブ、アンボイドＰＣスラブとの比較で８％〜３０％の低減が図れる。
○設備工事費の削減：設備配管、配管の躯体への打ち込みを皆無にし、異業種の共同作業を削減する。
２．  二重床でありながら１３５ｍｍの低床化を実現
高い遮音性を確保しながらスラブからの低床化を達成。高い付加価値を持つ快適な住宅を実現した。
３．  優れた制震・遮音性能の達成
振動を与える媒介となる束を設けないことで階下への伝番を大幅に軽減する。
４．  長期的な耐震性
遮音性能をスラブ厚に頼らないことで構造的には必要の無いスラブ厚の増加を防ぎ、建物全体の軽量化が図れる。
５．  施工性の向上・無騒音工事の達成
床下高さ調整をレベル調整支持ゴムにより行えることで施工性が向上し、更にレベル調整支持ゴムの介設は接着工法のため無騒音工事も可能である。
６．  容易な維持管理
設備配管、配管を露出配管とすることができるためそのメンテナンスが容易であり、時間やコスト面での負担を大きく軽減できる。
７．  スケルトン・インフィル住宅にも対応
躯体と居住床を分離する発想は、メンテナンスや生活環境の変化にも対応可能であり、国土交通省が進めるＳ１住宅そのものの発想と共通し、長期優良住宅（建物寿命＝躯体寿命）の発想に繋がる。
８．  ライフサイクルコストの削減
高耐久性住宅にすることにより、建物を長く使用することができるためライフサイクルコストの削減に貢献する。（国土交通省発行「これからはスケルトン住宅」による。）
【図面の簡単な説明】
【００１１】
【図１】本考案の浮遊二重床構造体の全体を示す斜視説明図（１）であり、（２）は（１）の円Ｃ内の拡大詳細説明図である。
【図２】本考案の浮遊二重床構造体の取付縦断面図（１）であり、（２）は（１）の矢視Ａ−Ａからの断面説明図である。
【図３】本考案の浮遊二重床構造体における大引ビームの底部に横断面上向きコ字型弾性制振座とレベル調整用弾性ゴム座を装着する詳細説明図（１）であり、（２）はレベル調整用弾性ゴム座の種類例を示す断面図である。
【図４】浮遊二重床構造体における大引ビームの数種類を列記したそれらの横断面図である。
【考案を実施するための態様】
【００１２】  本考案の実施態様は、図１〜図４に示す実施例により詳細に説明する。
【実施例】
【００１３】  図１〜図２において、本例の浮遊二重床構造体は、床スラブ１０１上にΣ型の大引ビーム１０２を適当間隔おきに並列配置し、この大引ビーム１０２の上にパーティクルボード１０３を介してフローリング１０４を配置した床板体を敷設した床構造体である。
前記大引ビーム１０２は、長さ方向両端の底部を、横断面上向きコ字型弾性制振座１０５−１の座面内に嵌め装着する。【００１４】  この位置は図２で示すように大梁２０１直上の床スラブ１０１位置と、小梁２０２直上の床スラブ１０１位置である。
また大引ビーム１０２は、長手方向の中央部つまり大梁上と小梁上の位置間の中央部の底部も、横断面上向きコ字型弾性制振座１０５−２の座面内に嵌め装着して撓みを吸収して歩行性を最適に確保する。
各横断面上向きコ字型弾性制振座１０５−１及び１０５−２の材質は硬度６５°クロロプレンゴムで成形したものである。【００１５】  この各横断面上向きコ字型弾性制振座１０５−１及び１０５−２の底面には床スラブ１０１上面との間に図３に示すレベル調整用弾性ゴム座１０６〜１０９を適宜専用接着剤等で装着してレベル調整する。
レベル調整用弾性ゴム座１０６〜１０９の材質は硬度６５°の天然ゴムで成形したものである。【００１６】  Σ型の大引ビーム１０２は、側面にビーム間空間部の空気を逃がす円形の開口部１１０を有し、上面は前記床板体のパーティクルボード１０３に止め具１１１で固定してある。【００１７】  尚、大引ビームは、本例では横断面形状がΣ型の大引ビーム１０２としてあるが、図４に示すように横断面Ｃ型大引ビーム１０２Ａ、横断面コ型大引ビーム１０２Ｂ，横断面Ｉ型大引ビーム１０２Ｃ、横断面上下π型大引ビーム１０２Ｄ、横断面四角型大引ビーム１０２Ｅ等の大引ビームが適用される。
【産業上の利用可能性】
【００１８】  本考案は、前記の優れた作用効果を呈するものであり、建築業界に貢献すること多大なものある。
【符号の説明】
【００１９】  １０１：床スラブ                              １１０：開口部
１０２：Σ型の大引ビーム                      １１１：止め具
１０３：パーティクルボード                    １０２Ａ：横断面Ｃ型の大引ビーム  １０４：フローリング                          １０２Ｂ：横断面コ型の大引ビーム  １０５−１、１０５−２：横断面上向きコ字型    １０２Ｃ：横断面Ｉ型の大引ビームの弾性制振座                                    １０２Ｄ：横断面上下π型の大引ビ  ２０１：大梁                                ーム
２０２：小梁                                  １０２Ｅ：横断面四角型の大引ビー  １０６〜１０９：レベル調整用弾性ゴム座      ム
【図１】
0003232587.tif 000003
【図２】
0003232587.tif 000004
【図３】
0003232587.tif 000005
【図４】
0003232587.tif 000006